(57)【特許請求の範囲】
【請求項１】
天板の下面に沿って補強フレームを設けたテーブルにおいて、前記補強フレームの側面に取付金具を突設し、該取付金具を前記天板に下方からねじ止めすることにより、前記補強フレームを天板に固定し、前記取付金具にカバーを取付けるとともに、このカバーの一部に配線類を係止し得る係止爪を設けたことを特徴とするテーブルの配線類係止装置。
【請求項２】
係止爪を、カバーと一体に形成した請求項１記載のテーブルの配線類係止装置。
【請求項３】
補強フレームを天板の側縁に沿って設け、該補強フレームの内側面に取付金具を天板の中央を向くように突設した請求項１または２記載のテーブルの配線類係止装置。
【請求項４】
取付金具の先端下部に凹所を設け、この凹所に係止爪を配設した請求項１〜３のいずれかに記載のテーブルの配線類係止装置。
【発明の詳細な説明】
【０００１】
【発明の属する技術分野】
本発明は、テーブルの下方において、電気機器の配線類を係止できるようにした配線類係止装置に関し、特に、天板の下面に補強フレームを設けた構成に適用したテーブルの配線類係止装置に関する。
【０００２】
【従来の技術】
従来、例えば１枚板構造の天板を柱状の支持脚で直接的に支持する構成のテーブルにおいて、その天板の撓みや捩れ等を防止するため、天板の下面に沿って補強フレームを設けることが行われている。
【０００３】
この場合、補強フレームを天板に固定する手段として、補強フレームを天板に直接ねじ止めするか、または、補強フレームの側面側に取付金具を突設し、この取付金具を天板に下方からねじ止めすることが行なわれている。
【０００４】
取付金具を用いる場合、この取付金具は、天板との接合強度を高める必要上、一般的に天板の下面に密着する平坦面を要するとともに、取付金具自体の補強のためのリブ等をその平坦面の下方に突出したり、ねじ具の頭部が露出する等、金属部品の表出面が多い構成となり、外観が悪くなるおそれがある。
【０００５】
そこで発明者においては、取付金具の露出部分をカバーで覆い、外観の向上を図ることを考えている。
【０００６】
一方、上記構成のテーブルは、パソコン等のＯＡ機器を載置するために多く使用されるが、これらの機器の電源コードや信号線等の配線類を、床面や壁面下部等の低い位置に配設されているコンセントに接続する場合、その配線類の余長部分がテーブルの天板下方や周囲で繁雑化し易い。
【０００７】
配線類が、テーブルの周辺や下方空間に繁雑な形で配置されていると、外観が悪く、またテーブルでの作業の邪魔となったり、作業者の接触により配線が外れたりする。このため、従来では配線を整理よく係止するため、種々の係止装置が提案されている。
例えば、特開平７−２７５０４５号公報等に開示されている例では、天板の下面にボックス状または棚状等の配線類保持装置を設けている。
【０００８】
【発明が解決しようとする課題】
しかし、ボックス状または棚状等の配線類保持装置は、テーブルの天板の下方空間を著しく妨げるとともに、配線の必要がない場合や、配線量が少ない場合は邪魔になり、例えば天板下方にワゴン等を出入れする等のスペース利用の際に不便を来す。
【０００９】
本発明は、上述の点に鑑み、補強フレーム付き天板を有するテーブルにおいて、その天板と補強フレームとを接合する取付金具のカバー機能と配線類係止機能とを共に備え、少数部品による構成の簡単化を実現すると同時に、配線類の処理性にも優れた機能をもつテーブルの配線類係止装置を提供することを目的としている。
【００１０】
【課題を解決するための手段】
本発明によると、上記課題は、次のようにして解決される。
(１) 天板の下面に沿って補強フレームを設けたテーブルにおいて、前記補強フレームの側面に取付金具を突設し、該取付金具を前記天板に下方からねじ止めすることにより、前記補強フレームを天板に固定し、前記取付金具にカバーを取付けるとともに、このカバーの一部に配線類を係止し得る係止爪を設ける。
【００１１】
(２) 前記(１)項において、係止爪を、カバーと一体に形成する。
【００１２】
(３) 前記(１)項または(２)項において、補強フレームを天板の側縁に沿って設け、該補強フレームの内側面に取付金具を天板の中央を向くように突設する。
【００１３】
(４) 前記(１)〜(３)項のいずれかにおいて、取付金具の先端下部に凹所を設け、この凹所に係止爪を配設する。
【００１４】
【発明の実施の形態】
以下、本発明に係るテーブルの配線類係止装置の一実施形態について図面を参照して説明する。
【００１５】
図１および図２に示すように、本発明の一実施形態におけるテーブル(１)は１枚板構造のほぼ横長の長方形状の天板(２)を有し、この天板(２)の各角隅部付近が円柱状の支持脚(３)によって支持されている。
【００１６】
天板(２)の下面側には、その天板(２)の左右の側縁に沿う互いに対向する１対の角杆状の補強フレーム(４)(４)が配置されている。また、天板(２)の中央から後方に少しずれた位置にも１本の別の左右方向を向く角杆状の補強フレーム(５)が左右の補強フレーム(４)と交差する配置で設けられ、この補強フレーム(５)の両端部が天板(２)にねじ止めされている。
【００１７】
すなわち、補強フレーム(４)(５)は全体として平面視でＨ字形をなし、天板(２)は、その左右の縁部と後部寄りの中央付近とにおいて、少ない本数の補強フレーム(４)(５)によって有効に補強されている。なお、各補強フレーム(４)(５)の天板(２)からの下方突出高さは均一である。また、左右の補強フレーム(４)の前後の端部は、支持脚(３)に連結されている。
【００１８】
図３および図４に示すように、左右の各補強フレーム(４)の両端部付近に位置する天板中央側に向く内側面に、それぞれ取付金具(６)が突設されている。これらの取付金具(６)は、天板(２)との接合強度を高めるため、その天板(２)の下面に密着する平坦板部(6a)を有するとともに、その取付金具(６)自体の強度保持のため、前後の縁部から下方に一体に突出するリブ(6b)(6b)とを有し、側面視で下方が開口するほぼコ字形をなしている。各リブ(6b)の下縁は、天板(２)の中央側に向って上向きとなる傾斜を有するＳ字状曲線を有し、上下幅が緩やかに狭くなっている。すなわち、取付金具(６)の先端下部に凹所(７)が形成されている。
【００１９】
各取付金具(６)には、その平坦板部(6a)にあけた取付孔(6c)(6c)を通して止めねじ(８)が装着され、この止めねじ(８)が天板(２)の下面に螺着されている。これにより、補強フレーム(４)は天板(２)の下面に固着されている。また、下記のカバー取付け用として、リブ(6b)には窓孔状の係止孔(6d)(6d)が穿設されている。
【００２０】
そして、この各取付金具(６)に対し、その下面、内向きの突出方向先端部および両側部を覆うカバー(９)が、それぞれ着脱可能に取付けられている。
【００２１】
すなわち、図５および図６に示すように、カバー(９)は、例えば樹脂材料によって一体形成されたもので、全体的に、側面視が各取付金具(６)と対向して上向きに開口するほぼ上向きコ字形の断面を有する構成とされている。すなわち、このカバー  (９)は、取付金具(６)の下側に対応する底板部(9a)を有するとともに、その両側縁部から一体に立上がる縦板部(9b)(9b)を有している。縦板部(9b)の下縁は取付金具(６)のリブ(6b)に対応して天板(２)の中央側に向って上向きとなる傾斜を有するＳ字状曲線を有し、上下幅が緩やかに狭くなる形状となっている。
【００２２】
このカバー(９)の縦板部(9b)の内面に、取付金具(６)のリブ(6b)の係止孔(6d)に挿入係止できる前後１対の爪状の係止部(10)が突設されている。そして、カバー(９)を開口側を上向きとして取付金具(６)の下方から外嵌する状態で装着することにより、その取付金具(６)の下方露出部分のほぼ全体を被覆できるとともに、縦板部(9b)の係止部(10)を取付金具(６)のリブ(6b)の係止孔(6d)に係止することにより、カバー(９)を取付金具(６)に着脱可能に係止できるようになっている。
【００２３】
このような構成のカバー(９)において、その底板部(9a)の先端から一体に、配線類係止用の係止爪(11)が、取付金具(６)の先端下部の凹所(７)に位置するように突設されている。この係止爪(11)は、底板部(9a)の先端からほぼ水平に一定長伸びる延在部(11a)と、その延在部(11a)の先端において上向きに緩やかに折曲した爪部(11b)とを有する構造となっている。この爪部(11b)が、縦板部(9b)の先端より少し短い寸法に設定され、それにより縦板部(9b)の先端とこの爪部(11b)との間の空間が狭くなっている。
【００２４】
このような構成により、係止爪(11)は、取付金具(６)の補強フレーム(４)からの突出方向に沿って突出したものとなっている。つまり、係止爪(11)は補強フレーム(４)の両端部付近から天板(２)の中央側に向い、かつ天板(２)の下面に沿ってほぼ水平に突出した状態となっている。また同時に、その係止爪(11)の位置は、支持脚(３)の内側位置ともなっている。なお、係止爪(11)の底面の高さ位置は、補強フレーム(４)の下端よりも上側の位置となっており、これにより補強フレーム(４)の下側空間全体が、何等の突出物も存在しない状態となっている。
【００２５】
しかして、テーブル(１)の使用時においては、例えば天板(２)の上に載置した電気器具の配線類(12)を図３に示すように、天板(２)の側縁側から垂下した後、係止爪(11)に係止し、その後さらに配線類(12)を支持脚(３)に沿って下方に導くことにより、その配線類(12)をテーブル(１)の端部位置における支持脚(３)の内側にコンパクトに配置することができる。
【００２６】
よって、本実施形態によれば、天板(２)の中央側の下方空間に何等の邪魔となる突出物がなく、また配線類(12)も支持脚(３)の内側に沿って配置できるので、天板(２)の下方のスペース利用率が向上できるとともに、使用者等の邪魔になることもなく、またワゴン等の出入れ等の障害になることもない。
【００２７】
しかも、係止爪(11)はカバー(９)と一体に形成され、これにより取付金具(６)の被覆を行うための安全機能と、配線類支持機能とが一体化された部品構成が実現でき、部品数の減少、ひいてはテーブル構成の簡素化が有効に図れる。
【００２８】
【発明の効果】
本発明によると、次のような効果を奏することができる。
請求項１記載の発明によれば、補強フレーム付き天板を有するテーブルにおいて、その天板と補強フレームとを接合する取付金具のカバー機能と配線類の係止機能とが、同一の部品によって実現できる。この場合、係止爪は天板の下面に近接した位置に配置され、配線類をテーブルの内側の高所に能率よく係止保持することができる。
【００２９】
請求項２記載の発明によれば、カバーおよび係止爪が一体部品として成形でき、少数部品による構成の簡単化、成形工程および組立工程の簡素化等が図れる。
【００３０】
請求項３記載の発明によれば、取付金具やそのカバーが外方に突出することがないので、外観の向上を図ることができ、また係止爪を天板の角隅部から内側に向けて設けたので、配線類を天板の角隅部の内側に係止でき、天板の下方空間の利用率を向上することができる。
【００３１】
請求項４記載の発明によると、係止爪を、取付金具の先端下部の凹所に配置したので、係止爪が突出することがなく、天板の下方空間を妨げることがない。
【図面の簡単な説明】
【図１】本発明の一実施形態を備えるテーブル全体の正面図である。
【図２】図１の平面図である。
【図３】本発明の一実施形態の要部を示す斜視図である。
【図４】図３の一部を拡大した分解斜視図である。
【図５】前記実施形態のカバーの中央部縦断正面図である。
【図６】図５のＡ矢視図である。
【符号の説明】
(１)テーブル
(２)天板
(３)支持脚
(４)(５)補強フレーム
(６)取付金具
(6a)平坦板部
(6b)(6b)リブ
(6c)取付孔
(6d)係止孔
(７)凹所
(８)止めねじ
(９)カバー
(9a)底板部
(9b)縦板部
(10)係止部
(11)係止爪
(11a)延在部
(11b)爪部
(12)配線類
【図１】
0004316712.tif 000002
【図２】
0004316712.tif 000003
【図３】
0004316712.tif 000004
【図４】
0004316712.tif 000005
【図５】
0004316712.tif 000006
【図６】
0004316712.tif 000007